(57)【要約】【課題】第１の筐体と第２の筐体とを折畳み開閉自在に連結するヒンジ部を備えた折畳み式携帯通信機器を折畳み開閉操作を阻害することなく、ヒンジ部周辺で隙間の目立たない見映えのよいものとする。【解決手段】ヒンジ部６を第２の筐体５の表面側から略垂直に膨出した外側ボス部１０と、この外側ボス部１０に挟まれるように、第１の筐体３のヒンジ側端部３ａから水平に延びる中央側ボス部１１と、これら外側ボス部１０及び中央側ボス部１１に挿通される水平軸とで構成する。第１の筐体３と第２の筐体５との折畳み時に、正面視及び左右側面視の第１の筐体３のヒンジ側端部３ａの両ヒンジ側角部３ｂと、第２の筐体５の外側ボス部１０との合わせ面１２を略連続にする。【選択図】図１
2006303723.tif 000002
【特許請求の範囲】
【請求項１】
第１の筐体と、第２の筐体と、該第１の筐体と第２の筐体とを折畳み開閉自在に連結するヒンジ部とを備えた折畳み式携帯通信機器において、
上記ヒンジ部は、
上記第２の筐体の表面における幅方向両端からそれぞれ略垂直に膨出した外側ボス部と、
上記外側ボス部に挟まれるように、上記第１の筐体のヒンジ側端部から水平に延びる中央側ボス部と、
上記外側ボス部及び中央側ボス部に挿通される水平軸とを備え、
上記第１の筐体と第２の筐体との折畳み時に、第１の筐体に対して垂直な方向から視たとき及び上記水平軸の軸方向から視たときの第１の筐体のヒンジ側端部の両角部と、上記第２の筐体の外側ボス部との合わせ面における表面が略連続していることを特徴とする折畳み式携帯通信機器。
【請求項２】
請求項１に記載の折畳み式携帯通信機器において、
上記第１の筐体と第２の筐体とを折畳んだときの上記合わせ面は平面視略直線状に形成されていることを特徴とする折畳み式携帯通信機器。
【請求項３】
請求項１又は２に記載の折畳み式携帯通信機器において、
上記第１の筐体のヒンジ側端部の両角部は、該第１の筐体の長手方向内側に向かって凹んだ凹陥部を有し、該凹陥部における上記水平軸の軸方向外側側壁が薄肉に形成されていることを特徴とする折畳み式携帯通信機器。
【請求項４】
請求項３に記載の折畳み式携帯通信機器において、
上記凹陥部は、第１の筐体を上記水平軸の軸方向から視たときの断面が円弧状に形成されていることを特徴とする折畳み式携帯通信機器。
【請求項５】
請求項３又は４に記載の折畳み式携帯通信機器において、
上記外側側壁は、金属製部材で構成されていることを特徴とする折畳み式携帯通信機器。
【請求項６】
請求項３又は４に記載の折畳み式携帯通信機器において、
上記第１の筐体は、ヒンジ側端部における両角部及び中央側ボス部が一体に形成された樹脂成形品であることを特徴とする折畳み式携帯通信機器。
【請求項７】
請求項１乃至６のいずれか１つに記載の折畳み式携帯通信機器において、
上記第２の筐体の外側ボス部は、第２の筐体を長手方向から視たときの上記水平軸の軸方向の外側側面が円弧状に形成されていることを特徴とする折畳み式携帯通信機器。
【請求項８】
請求項７に記載の折畳み式携帯通信機器において、
上記第２の筐体の外側ボス部は、上記第１の筐体と第２の筐体との折畳み時に、第１の筐体に対して垂直な方向から視たとき及び上記水平軸の軸方向から視たときの外側ボス部の角部が曲面状に形成されていることを特徴とする折畳み式携帯通信機器。
【請求項９】
請求項１乃至８のいずれか１つに記載の折畳み式携帯通信機器において、
上記第１の筐体における中央側ボス部とヒンジ側端部との境界には、上記合わせ面に連続するように凹みが設けられていることを特徴とする折畳み式携帯通信機器。
【請求項１０】
請求項１乃至９のいずれか１つに記載の折畳み式携帯通信機器において、
上記第１の筐体には、液晶表示部が設けられ、第２の筐体には、操作部が設けられていることを特徴とする折畳み式携帯通信機器。
【請求項１１】
請求項１０に記載の折畳み式携帯通信機器において、
第１の筐体のヒンジ側端部には、該第１の筐体の長手方向に延びる垂直軸が設けられ、
上記垂直軸を中心に上記液晶表示部が表裏反転操作可能に支持されていることを特徴とする折畳み式携帯通信機器。
【請求項１２】
請求項１０に記載の折畳み式携帯通信機器において、
第１の筐体には、該第１の筐体の表裏方向に延びる回転軸が設けられ、
上記回転軸を中心に上記液晶表示部が縦長状態と横長状態とに切換操作可能に支持されていることを特徴とする折畳み式携帯通信機器。
【請求項１３】
請求項１乃至１２のいずれか１つに記載の折畳み式携帯通信機器において、
上記第２の筐体における両外側ボス部の中間には、中間ボス部が膨出され、
上記中間ボス部に対応するように上記第１の筐体の中央側ボス部には、該中間ボス部が挿入されるボス挿入部が設けられ、
上記中間ボス部にも、上記水平軸が挿通されていることを特徴とする折畳み式携帯通信機器。
【発明の詳細な説明】
【技術分野】
【０００１】
本発明は、折畳み式携帯通信機器に関し、特にそのヒンジ部の構造に関するものである。
【背景技術】
【０００２】
従来より、第１の筐体と、第２の筐体と、該第１の筐体と第２の筐体とを折畳み開閉自在に連結するヒンジ部とを備えた折畳み式携帯通信機器は知られている（例えば、特許文献１参照）。
【０００３】
この折畳み式携帯通信機器のヒンジ部は、第２の筐体の表面における幅方向両端からそれぞれ略垂直に膨出した外側ボス部と、この外側ボス部に挟まれるように、上記第１の筐体のヒンジ側端部から水平に延びる中央側ボス部と、これら外側ボス部及び中央側ボス部に挿通される水平軸とを備えている。
【０００４】
そして、折畳み開閉操作時に上記外側ボス部と第１の筐体のヒンジ側端部の両角部との干渉を避けるために、通常、外側ボス部は、水平軸の軸方向から視たときの断面が円弧状に形成されている。
【特許文献１】特開２００２−３４４６０１号公報（図１及び図２）
【発明の開示】
【発明が解決しようとする課題】
【０００５】
しかしながら、従来の折畳み式携帯通信機器では、干渉を避けるために丸められた外側ボス部と、第１の筐体のヒンジ側端部の両角部との間で合わせ面を形成するので、特に折畳み時において、この合わせ面で周囲の表面との段差による隙間が生じ、見映えが悪いという問題があった。
【０００６】
本発明は、かかる点に鑑みてなされたものであり、その目的とするところは、ヒンジ部の構成に工夫を加えることで、折畳み開閉操作を阻害することなく、ヒンジ部周辺で隙間の目立たない見映えのよい折畳み式携帯通信機器を提供することにある。
【課題を解決するための手段】
【０００７】
上記の目的を達成するために、この発明では、第１の筐体のヒンジ側端部の両角部と、第２の筐体の外側ボス部との合わせ面を略連続にした。
【０００８】
具体的には、第１の発明では、第１の筐体と、第２の筐体と、該第１の筐体と第２の筐体とを折畳み開閉自在に連結するヒンジ部とを備えた折畳み式携帯通信機器を前提とし、
上記ヒンジ部は、上記第２の筐体の表面における幅方向両端からそれぞれ略垂直に膨出した外側ボス部と、この外側ボス部に挟まれるように、上記第１の筐体のヒンジ側端部から水平に延びる中央側ボス部と、上記外側ボス部及び中央側ボス部に挿通される水平軸とを備え、
上記第１の筐体と第２の筐体との折畳み時に、第１の筐体に対して垂直な方向から視たとき及び上記水平軸の軸方向から視たときの第１の筐体のヒンジ側端部の両角部と、上記第２の筐体の外側ボス部との合わせ面における表面が略連続している構成とする。
【０００９】
上記の構成によると、干渉を避けるためにヒンジ側端部の両角部と外側ボス部との合わせ面において角部を丸めることなく、その表面を略連続に成形することで、第２の筐体の外側ボス部と第１の筐体のヒンジ側端部の両角部との間に周囲の表面との段差による隙間が目立たないようにしている。このため、折畳み開閉操作を阻害することなく、ヒンジ部周辺で隙間の目立たない見映えのよい折畳み式携帯通信機器が得られる。
【００１０】
第２の発明では、上記第１の筐体と第２の筐体とを折畳んだときの上記合わせ面は平面視略直線状に形成されている構成とする。
【００１１】
上記の構成によると、合わせ面を平面視で直線状に、すなわち、第１の筐体に対して垂直な方向から視たときの合わせ面及び水平軸の軸方向から視たときの合わせ面の形状を直線状に形成することで、従来のように丸めた部分の端部における隙間の発生を防いでさらに目立たないものとすることができる。
【００１２】
第３の発明では、上記第１の筐体のヒンジ側端部の両角部は、該第１の筐体の長手方向内側に向かって凹んだ凹陥部を有し、凹陥部の外側側壁が薄肉に形成される構成とする。
【００１３】
上記の構成によると、第１の筐体の凹陥部の外側側壁よりも内側に外側ボス部が入り込むことにより、干渉を避けるためにヒンジ側端部の両角部と外側ボス部との合わせ面を丸めなくても、折畳み動作をすることができる。
【００１４】
第４の発明では、上記凹陥部は、第１の筐体を上記水平軸の軸方向から視たときの断面が円弧状に形成される構成とする。
【００１５】
上記の構成によると、凹陥部を断面円弧状に凹ませることで、折畳み動作中に外側ボス部が凹陥部内に入り込んで互いに干渉するのを防ぐことができる。
【００１６】
第５の発明では、外側側壁は、金属製部材で構成されている。
【００１７】
上記の構成によると、外側側壁を金属製とすることで、その肉厚を薄くしても落下時などに損傷しがたくなる。よって、さらにヒンジ部周辺での隙間を小さくすることができるので、さらに隙間の目立たない見映えのよい折畳み式携帯通信機器を提供することができる。
【００１８】
第６の発明では、上記第１の筐体は、ヒンジ側端部における両角部及び中央側ボス部が一体に形成された樹脂成形品とする。
【００１９】
上記の構成によると、ヒンジ側端部における両角部及び中央側ボス部を樹脂成形により簡単に製造でき、かつ部品点数が減るので、製造コストを削減できる。
【００２０】
第７の発明では、上記第２の筐体の外側ボス部は、第２の筐体を長手方向から視たときの上記水平軸の軸方向の外側側面が円弧状に形成される構成とする。
【００２１】
上記の構成によると、第２の筐体を長手方向から視たときの外側ボス部の側面を丸めても、外側ボス部と第１の筐体のヒンジ側端部の両角部との間の合わせ面における隙間には影響を与えず、この丸められた外側ボス部が凹陥部の外側側壁よりも内側に入り込むことで、折畳み動作における外側ボス部と第１の筐体のヒンジ側端部の両角部との干渉を防止することができる。
【００２２】
第８の発明では、上記第２の筐体の外側ボス部は、上記第１の筐体と第２の筐体との折畳み時に、第１の筐体に対して垂直な方向から視たとき及び上記水平軸の軸方向から視たときの外側ボス部の角部が曲面状に形成されている。
【００２３】
上記の構成によると、外側ボス部と第１の筐体のヒンジ側端部の両角部との間の合わせ面における隙間には影響を与えずに、ヒンジ部に丸みを持たせることができるので、角部が丸みのある見映えのよい折畳み式携帯通信機器を提供することができる。
【００２４】
第９の発明では、上記第１の筐体における中央側ボス部とヒンジ側端部との境界には、上記合わせ面に連続するように凹みが設けられる構成とする。
【００２５】
すなわち、外側ボス部と第１の筐体のヒンジ側端部の両角部との間の合わせ面における隙間は、完全に無くすことはできないが、上記の構成によると、この合わせ面の隙間に連続するように、中央側ボス部とヒンジ側端部との境界に凹みを設けることで、外観上隙間が連続しているように見え、さらに見映えをよくすることができる。
【００２６】
第１０の発明では、上記第１の筐体には、液晶表示部が設けられ、第２の筐体には、操作部が設けられている。
【００２７】
上記の構成によると、主要部品が配置される操作部を第１の筐体よりも大きな第２筐体に配置し、比較的軽量の液晶表示部を第１の筐体に配置している。
【００２８】
第１１の発明によると、第１の筐体のヒンジ側端部には、該第１の筐体の長手方向に延びる垂直軸が設けられ、この垂直軸を中心に上記液晶表示部が表裏反転操作可能に支持されている。
【００２９】
上記の構成によると、液晶表示部を折畳み状態でも表裏反転させて視ることができる。かかる場合でも、見映えのよい折畳み式携帯通信機器を提供することができる。
【００３０】
第１２の発明によると、第１の筐体には、該第１の筐体の表裏方向に延びる回転軸が設けられ、上記回転軸を中心に上記液晶表示部が縦長状態と横長状態とに切換操作可能に支持されている。
【００３１】
上記の構成によると、横長状態でも操作部が操作できる折畳み式携帯通信機器においても、見映えをよくすることができる。
【００３２】
第１３の発明によると、上記第２の筐体における両外側ボス部の中間には、中間ボス部が膨出され、この中間ボス部に対応するように上記第１の筐体の中央側ボス部には、この中間ボス部が挿入されるボス挿入部が設けられ、中間ボス部にも、上記水平軸が挿通されている。
【００３３】
上記の構成によると、両外側ボス部の中間に中間ボス部を設けたような場合でも、見映えのよい折畳み式携帯通信機器を提供することができる。
【発明の効果】
【００３４】
以上説明したように、本発明によれば、外側ボス部とヒンジ側端部の両角部との合わせ面を丸めることなく略連続に成形しながら、第１の筐体と第２の筐体とを折畳み開閉自在に構成し、外側ボス部とヒンジ側端部の両角部との間の隙間を目立たないようにしている。このため、折畳み開閉操作を阻害することなく、見映えのよい折畳み式携帯通信機器を提供することができる。
【発明を実施するための最良の形態】
【００３５】
以下、本発明の実施形態を図面に基づいて説明する。
【００３６】
図１及び図２に示すように、本実施形態の折畳み式携帯通信機器１は、液晶表示部２を有する第１の筐体３と、操作部４を有する第２の筐体５とを備えている。これらの第１の筐体３と第２の筐体５とは、ヒンジ部６によって折畳み開閉自在に連結されている。以下、説明のために、この折畳み式携帯通信機器１を開いたときの第１の筐体３側を上側とし、第２の筐体５側を下側とし、液晶表示部２、操作部４が設けられた側をそれぞれ第１の筐体３、第２の筐体５の表面とし、反対側を裏面とする。
【００３７】
図７にも示すように、上記第２の筐体５は、平面視で略矩形板状に形成され、その表面に操作キー７を備えた上記操作部４が形成されている。その操作部４の上端の幅方向（左右方向）両端からそれぞれ第２の筐体５の表面に対して略垂直に一対の外側ボス部１０が膨出するように形成されている。この外側ボス部１０の左右方向内側に水平軸（図示せず）が挿通される水平軸支持穴（図示せず）が形成されている。図５に示すように、この外側ボス部１０は、第２の筐体５を長手方向（上方向）から視たときの左右方向の外側側面が円弧状に形成されている。一方、図３に示すように、折畳み式携帯通信機器１が閉じられたとき、第１の筐体３の裏面（液晶表示部２のない面）に対して垂直な方向から視たとき（正面視）の外側ボス部１０も矩形状に形成されている。また、図４に示すように、左右方向から視たときの外側ボス部１０は矩形状に形成されている。
【００３８】
一方、上記第１の筐体３も平面視で略矩形板状に形成され、そのヒンジ部６側のヒンジ側端部３ａ（開いたときの下端部）から直方体状の中央側ボス部１１が下側へ水平に延びている。この中央側ボス部１１には、上記水平軸が挿通される水平軸挿通孔１１ａ（図１２に示す）が形成され、左右両側から外側ボス部１０に挟まれている。図１１に示すように、中央側ボス部１１の表裏面は、いずれの角部も丸面取りされず、第１の筐体３の表裏面と略連続するように形成されている。
【００３９】
また、図３に示すように、上記第１の筐体３における中央側ボス部１１とヒンジ側端部３ａとの境界には、合わせ面１２に連続するように左右に直線状に連続して装飾用凹み１４が設けられている。このことで、合わせ面１２のわずかの隙間と凹み１４とが外観上連続しているように見える。
【００４０】
また、第１の筐体３のヒンジ側端部３ａの中央側ボス部１１よりも左右方向外側に位置するヒンジ側角部３ｂも、第１の筐体３の裏面から視たときに直角に形成され、図４に示すように、左右方向から視たときも直角に形成されている。
【００４１】
上記ヒンジ部６は、上述した外側ボス部１０と、中央側ボス部１１と、これら外側ボス部１０及び中央側ボス部１１に挿通される水平軸とで構成されている。
【００４２】
そして、上記第１の筐体３と第２の筐体５との折畳み時に、第１の筐体３の裏面から視たときに第１の筐体３のヒンジ側端部３ａの両ヒンジ側角部３ｂと、上記第２の筐体５の外側ボス部１０との合わせ面１２が直線状に略連続している。さらに、図４に示すように、上記水平軸の軸方向から視たときも、この合わせ面１２は直線状に略連続している。
【００４３】
すなわち、いずれの視点から見たときにも、周囲の表面との間に合わせ面１２において段差がない（丸く面取りされていない）ので、合わせ面１２の隙間が目立たないものとなっている。
【００４４】
そして、図６，図１０及び図１２に示すように、上記第１の筐体３のヒンジ側端部３ａの両ヒンジ側角部３ｂは、第１の筐体３の長手方向内側（上側）に向かって凹んだ凹陥部１３を有している。この凹陥部１３は、第１の筐体３を上記水平軸の軸方向から視たときの断面が円弧状に形成されている。そして、図１２に示すように、左右方向の外側側壁１３ａが薄肉に形成されている。
【００４５】
−作用−
次に、本実施形態にかかる折畳み式携帯通信機器１の折畳み動作について図面を用いて説明する。
【００４６】
図８，図９及び図１０に示す開き状態から第１の筐体３を第２の筐体５側へ回動させると、第１の筐体３のヒンジ側端部３ａの両ヒンジ側角部３ｂが第２の筐体５の外側ボス部１０に近づいてくる。
【００４７】
そして、図１３に示すように、外側ボス部１０の上側角部がヒンジ側端部３ａのヒンジ側角部３ｂの外側側壁１３ａの内側の凹陥部１３内へ入り込む。
【００４８】
次いで、さらに第１の筐体３を回動させると、凹陥部１３内に入り込んでいた外側ボス部１０の上側角部が再び凹陥部１３内から外に出る。
【００４９】
次いで、さらに第１の筐体３を回動させると、図１４に示すように、外側ボス部１０の下側角部が凹陥部１３内に入り込む。
【００５０】
最後に、凹陥部１３内に入り込んでいた外側ボス部１０の下側角部が外に出て、図４及び図５に示すように、閉じ状態となり、第１の筐体３のヒンジ側端部３ａの両ヒンジ側角部３ｂと、上記第２の筐体５の外側ボス部１０との間で表面が略連続した合わせ面１２が直線状に形成されている。
【００５１】
したがって、本実施形態にかかる折畳み式携帯通信機器１によると、ヒンジ側端部３ａの両ヒンジ側角部３ｂと外側ボス部１０との合わせ面１２の角部を丸めることなく略連続に成形しながら、第１の筐体３と第２の筐体５とを折畳み開閉自在に構成し、第２の筐体５の外側ボス部１０と第１の筐体３のヒンジ側端部３ａの両ヒンジ側角部３ｂとの間の隙間を目立たないようにしている。このため、見映えのよい折畳み式携帯通信機器１を提供することができる。
【００５２】
（その他の実施形態）
本発明は、上記実施形態について、以下のような構成としてもよい。
【００５３】
すなわち、上記実施形態では、第１の筐体３の液晶表示部２は、第２の筐体５に対して表裏反転不能としているが、第１の筐体３のヒンジ側端部３ａに上下方向に延びるように設けた垂直軸を中心に回転させて表裏反転可能に構成してもよい。また、第１の筐体３における液晶表示部２の背面側に表裏方向に延びる垂直軸を設け、この垂直軸を中心に液晶表示部を左右方向に回転させて、縦長状態と横長状態とに切換操作可能に構成してもよい。
【００５４】
また、上記実施形態では、中央側ボス部１１の外側を外側ボス部１０で挟むように構成しているが、例えば、第２の筐体５の外側ボス部１０の中間に中間ボス部を設け、この中間ボス部に対応する第１の筐体３の中央側ボス部１１を切り欠いてボス挿入部を設け、このボス挿入部に中間ボス部が挿入されるようにしてもよい。
【００５５】
また、外側ボス部１０は、上記第１の筐体３と第２の筐体５との折畳み時に、正面視及び左右側面視の第１の筐体３のヒンジ側端部３ａの両ヒンジ側角部３ｂを曲面状に形成してもよい。このことで、合わせ面１２における外側ボス部１０と第１の筐体３のヒンジ側端部３ａの両ヒンジ側角部３ｂとの間の隙間には影響を与えずに、ヒンジ部６に丸みを持たせることができるので、見映えのよい折畳み式携帯通信機器１を提供することができる。
【００５６】
上記第１の筐体３のヒンジ側端部３ａの両ヒンジ側角部３ｂにおける外側側壁１３ａは、ヒンジ側角部３ｂ全体と共に樹脂で一体的に構成してもよいが、特に外側側壁１３ａを金属製部材で構成するのが望ましい。このことで、その肉厚を薄くしても落下時などに損傷しがたくなる。
【００５７】
さらに、上記実施形態では、第１の筐体３に液晶表示部２を設け、第２の筐体５に操作部４を設けているが、第１の筐体に操作部を設け、第２の筐体に液晶表示部を設けてもよい。この場合は、第２の筐体が上側に、第１の筐体が下側に配置される。
【００５８】
なお、以上の実施形態は、本質的に好ましい例示であって、本発明、その適用物や用途の範囲を制限することを意図するものではない。
【産業上の利用可能性】
【００５９】
以上説明したように、本発明は、第１の筐体と第２の筐体とを折畳み開閉自在に連結するヒンジ部を備えた折畳み式携帯通信機器について有用である。
【図面の簡単な説明】
【００６０】
【図１】折畳み状態にある本発明の実施形態にかかる折畳み式携帯通信機器を示す斜視図である。
【図２】開いた状態にある折畳み式携帯通信機器を示す斜視図である。
【図３】折畳み状態にある折畳み式携帯通信機器の正面図である。
【図４】折畳み状態にある折畳み式携帯通信機器の側面図である。
【図５】折畳み状態にある折畳み式携帯通信機器の平面図である。
【図６】図３のVI−VI線断面図である。
【図７】開いた状態にある折畳み式携帯通信機器の正面図である。
【図８】開いた状態にある折畳み式携帯通信機器の側面図である。
【図９】開いた状態にある折畳み式携帯通信機器の底面図である。
【図１０】図７のＸ−Ｘ線断面図である。
【図１１】図７のXI−XI線断面図である。
【図１２】第１の筐体の凹陥部及びその周辺を示す拡大斜視図である。
【図１３】（ａ）が折畳み式携帯通信機器を閉じる操作におけるヒンジ部及びその周辺の拡大側面図であり、（ｂ）がその拡大平面図である。
【図１４】さらに閉じたときの図１３相当図である。
【符号の説明】
【００６１】
１      折畳み式携帯通信機器
２      液晶表示部
３      第１の筐体
３ａ    ヒンジ側端部
３ｂ    ヒンジ側角部
４      操作部
５      第２の筐体
６      ヒンジ部
１０      外側ボス部
１１      中央側ボス部
１２      合わせ面
１３      凹陥部
１３ａ    外側側壁
１４      装飾用凹み
【図１】
2006303723.tif 000003
【図２】
2006303723.tif 000004
【図３】
2006303723.tif 000005
【図４】
2006303723.tif 000006
【図５】
2006303723.tif 000007
【図６】
2006303723.tif 000008
【図７】
2006303723.tif 000009
【図８】
2006303723.tif 000010
【図９】
2006303723.tif 000011
【図１０】
2006303723.tif 000012
【図１１】
2006303723.tif 000013
【図１２】
2006303723.tif 000014
【図１３】
2006303723.tif 000015
【図１４】
2006303723.tif 000016